(57)【特許請求の範囲】
【請求項１】
装置内部の異常事態を検知する検知手段と、
投影している画像中の端部に、前記検知手段により検知された異常事態が発生した事実のみを示すマークを付与することにより、前記装置に当該異常事態が発生していることを報知する報知手段と、
前記報知手段で報知後、前記検知手段は前記装置内部の異常個所、異常内容を特定し、
前記検知手段で特定された異常個所および異常内容を前記装置が具備する表示部に文字表示する表示手段とを具備したことを特徴とする画像表示装置。
【請求項２】
装置本体との間で双方向通信可能なリモートコントローラを備えた画像表示装置であって、
上記装置本体は、
装置内部の異常事態を検知する検知手段と、
投影している画像中の端部に、前記検知手段により検知された異常事態が発生した事実のみを示すマークを付与することにより、前記装置に当該異常事態が発生していることを報知する報知手段と、
前記報知手段で報知後、前記検知手段は前記装置内部の異常個所、異常内容を特定し、
前記検知手段で特定された異常個所および異常内容を示す文字情報を上記リモートコントローラに送信する異常情報送信手段とを具備し、
上記リモートコントローラは、
上記異常情報送信手段により送られてくる情報を受信する受信手段と、
この受信手段で受信した前記検知手段で特定された異常個所および異常内容を示す文字情報に対応した表示を行なう表示手段とを具備することを特徴とする画像表示装置。
【請求項３】
上記リモートコントローラの表示手段は、さらに振動素子の振動パターン及び発光素子の発光パターンの少なくとも一方により異常事態の内容を表示することを特徴とする請求項２記載の画像表示装置。
【請求項４】
装置内部の異常事態を検知する検知工程と、
投影している画像中の端部に、前記検知工程により検知された異常事態が発生した事実のみを示すマークを付与することにより、前記装置に当該異常事態が発生していることを報知する報知工程と、
前記報知工程で報知後、前記装置内部の異常個所、異常内容を特定する異常事態特定工程と、
前記異常事態特定工程で特定された異常個所および異常内容を前記装置が具備する表示部に文字表示する表示工程とを有したことを特徴とする異常報知方法。
【請求項５】
装置内部の異常事態を検知する検知ステップと、
投影している画像中の端部に、前記検知ステップにより検知された異常事態が発生した事実のみを示すマークを付与することにより、前記装置に当該異常事態が発生していることを報知する報知ステップと、
前記報知ステップで報知後、前記装置内部の異常個所、異常内容を特定する異常事態特定ステップと、
前記異常事態特定ステップで特定された異常個所および異常内容を前記装置が具備する表示部に文字表示する表示ステップとをコンピュータに実行させることを特徴とするプログラム。
【請求項６】
装置本体との間で双方向通信可能なリモートコントローラを備えた画像表示装置での異常報知方法であって、
上記装置本体では、
装置内部の異常事態を検知する検知工程と、
投影している画像中の端部に、前記検知工程により検知された異常事態が発生した事実のみを示すマークを付与することにより、前記装置に当該異常事態が発生していることを報知する報知工程と、
前記報知工程で報知後、前記装置内部の異常個所、異常内容を特定する異常事態特定工程と、
前記異常事態特定工程で特定された異常個所および異常内容を示す文字情報を上記リモートコントローラに送信する異常情報送信工程とを有し、
上記リモートコントローラでは、
上記異常情報送信工程で送られてくる情報を受信する受信工程と、
この受信工程で受信した前記異常事態特定工程で特定された異常個所および異常内容を示す文字情報に対応した表示を行なう表示工程とを有することを特徴とする異常報知方法。
【請求項７】
装置本体との間で双方向通信可能なリモートコントローラを備えた画像表示装置で実行されるプログラムであって、
上記装置本体では、
装置内部の異常事態を検知する検知ステップと、
投影している画像中の端部に、前記検知ステップにより検知された異常事態が発生した事実のみを示すマークを付与することにより、前記装置に当該異常事態が発生していることを報知する報知ステップと、
前記報知ステップで報知後、前記装置内部の異常個所、異常内容を特定する異常事態特定ステップと、
前記異常事態特定ステップで特定された異常個所および異常内容を示す文字情報を上記リモートコントローラに送信する異常情報送信ステップとを有し、
上記リモートコントローラでは、
上記異常情報送信ステップで送られてくる情報を受信する受信ステップと、
この受信ステップで受信した前記異常事態特定ステップで特定された異常個所および異常内容を示す文字情報に対応した表示を行なう表示ステップとを、それぞれのコンピュータに実行させることを特徴とするプログラム。
【発明の詳細な説明】
【技術分野】
【０００１】
本発明は、特に光源ランプの温度異常等を生じ易いプロジェクタ装置等に好適な画像表示装置、異常報知方法及びプログラムに関する。
【背景技術】
【０００２】
従来、液晶投影装置で、温度センサやファンの回転検出センサにより異常を検知すると、警告内容をキャラクタデータでスクリーンに投影表示すると共に、装置本体の発光素子を点滅させ、その後に電源を遮断するようにした技術があった。（例えば、特許文献１）
【特許文献１】特開平７−３３３５７１号公報
【発明の開示】
【発明が解決しようとする課題】
【０００３】
しかしながら、上記特許文献１の技術では、温度センサで検知した温度が所定の温度以上になると、異常と判断して光源ランプを消灯するようにしていた。そのため、この投影装置のユーザは、異常状態が表示されるとすぐに光源ランプが消灯してしまうので、異常が発生するまではそれに気付くことができず、異常が発生する要因に何ら対処することができない。
【０００４】
したがって、例えば上記投影装置を用いて業務でプレゼンテーションを行なっている状態で上記のように異常が発生した場合、プレゼンテーションの途中で異常発生の表示の後に投影装置が突然使用不能となり、プレゼンテーションが台無しになってしまう可能性も多々あり得る。
【０００５】
本発明は上記のような実情に鑑みてなされたもので、その目的とするところは、装置を操作しているユーザ以外の、表示されている内容を見ているだけの人には異常の発生が気付かれ難く、且つ発生した異常に余裕をもって対処することが可能な画像表示装置、異常報知方法及びプログラムを提供することにある。
【課題を解決するための手段】
【０００６】
本願請求項１記載の発明は、装置内部の異常事態を検知する検知手段と、投影している画像中の端部に、前記検知手段により検知された異常事態が発生した事実のみを示すマークを付与することにより、前記装置に当該異常事態が発生していることを報知する報知手段と、前記報知手段で報知後、前記検知手段は前記装置内部の異常個所、異常内容を特定し、前記検知手段で特定された異常個所および異常内容を前記装置が具備する表示部に文字表示する表示手段とを具備したことを特徴とする。
【０００７】
請求項２記載の発明は、装置本体との間で双方向通信可能なリモートコントローラを備えた画像表示装置であって、上記装置本体は、装置内部の異常事態をを検知する検知手段と、投影している画像中の端部に、前記検知手段により検知された異常事態が発生した事実のみを示すマークを付与することにより、前記装置に当該異常事態が発生していることを報知する報知手段と、前記報知手段で報知後、前記検知手段は前記装置内部の異常個所、異常内容を特定し、前記検知手段で特定された異常個所および異常内容を示す文字情報を上記リモートコントローラに送信する異常情報送信手段とを具備し、上記リモートコントローラは、上記異常情報送信手段により送られてくる情報を受信する受信手段と、この受信手段で受信した前記検知手段で特定された異常個所および異常内容を示す文字情報に対応した表示を行なう表示手段とを具備することを特徴とする。
【０００８】
請求項３記載の発明は、上記請求項２記載の発明において、上記リモートコントローラの表示手段は、さらに振動素子の振動パターン及び発光素子の発光パターンの少なくとも一方により異常事態の内容を表示することを特徴とする。
【００１０】
請求項４記載の発明は、装置内部の異常事態を検知する検知工程と、投影している画像中の端部に、前記検知工程により検知された異常事態が発生した事実のみを示すマークを付与することにより、前記装置に当該異常事態が発生していることを報知する報知工程と、前記報知工程で報知後、前記装置内部の異常個所、異常内容を特定する異常事態特定工程と、前記異常事態特定工程で特定された異常個所および異常内容を前記装置が具備する表示部に文字表示する表示工程とを有したことを特徴とする。
【００１１】
請求項５記載の発明は、装置内部の異常事態を検知する検知ステップと、投影している画像中の端部に、前記検知ステップにより検知された異常事態が発生した事実のみを示すマークを付与することにより、前記装置に当該異常事態が発生していることを報知する報知ステップと、前記報知ステップで報知後、前記装置内部の異常個所、異常内容を特定する異常事態特定ステップと、前記異常事態特定ステップで特定された異常個所および異常内容を前記装置が具備する表示部に文字表示する表示ステップとをコンピュータに実行させることを特徴とする。
【００１２】
請求項６記載の発明は、装置本体との間で双方向通信可能なリモートコントローラを備えた画像表示装置での異常報知方法であって、上記装置本体では、装置内部の異常事態を検知する検知工程と、投影している画像中の端部に、前記検知工程により検知された異常事態が発生した事実のみを示すマークを付与することにより、前記装置に当該異常事態が発生していることを報知する報知工程と、前記報知工程で報知後、前記装置内部の異常個所、異常内容を特定する異常事態特定工程と、前記異常事態特定工程で特定された異常個所および異常内容を示す文字情報を上記リモートコントローラに送信する異常情報送信工程とを有し、上記リモートコントローラでは、上記異常情報送信工程で送られてくる情報を受信する受信工程と、この受信工程で受信した前記異常事態特定工程で特定された異常個所および異常内容を示す文字情報に対応した表示を行なう表示工程とを有することを特徴とする。
【００１３】
請求項７記載の発明は、装置本体との間で双方向通信可能なリモートコントローラを備えた画像表示装置で実行されるプログラムであって、上記装置本体では、装置内部の異常事態を検知する検知ステップと、投影している画像中の端部に、前記検知ステップにより検知された異常事態が発生した事実のみを示すマークを付与することにより、前記装置に当該異常事態が発生していることを報知する報知ステップと、前記報知ステップで報知後、前記装置内部の異常個所、異常内容を特定する異常事態特定ステップと、前記異常事態特定ステップで特定された異常個所および異常内容を示す文字情報を上記リモートコントローラに送信する異常情報送信ステップとを有し、上記リモートコントローラでは、上記異常情報送信ステップで送られてくる情報を受信する受信ステップと、この受信ステップで受信した前記異常事態特定ステップで特定された異常個所および異常内容をを示す文字情報に対応した表示を行なう表示ステップとを、それぞれのコンピュータに実行させることを特徴とする。
【発明の効果】
【００１４】
請求項１記載の発明によれば、装置を操作しているユーザ以外の、表示されている内容を見ているだけの人には異常が発生したことのみをマークを用いて報知することで、異常の発生が気付かれ難く、且つ装置を操作しているユーザには他の表示位置で具体的な異常の内容を装置が具備する表示部に文字表示することで、内容を誤認することなく、発生した異常に余裕をもって対処することが可能となる。
【００１５】
請求項２記載の発明によれば、装置をリモートコントローラを用いて操作しているユーザ以外の、表示されている内容を見ているだけの人には異常が発生したことのみをマークを用いて報知することで、異常の発生が気付かれ難く、且つリモートコントローラでは具体的な異常の内容を文字表示することで、内容を誤認することなく、発生した異常に余裕をもって対処することが可能となる。
【００１６】
請求項３記載の発明によれば、バイブレータの振動や発光素子の点灯などを伴ってリモートコントローラ側で異常の発生を表示するため、ユーザにより確実に発生した異常の内容を認識させることができる。
【００１８】
請求項４記載の発明によれば、装置を操作しているユーザ以外の、表示されている内容を見ているだけの人には異常が発生したことのみをマークを用いて報知することで、異常の発生が気付かれ難く、且つ装置を操作しているユーザには他の表示位置で具体的な異常の内容を、装置が具備する表示部に文字表示することで、内容を誤認することなく、発生した異常に余裕をもって対処することが可能となる。
【００１９】
請求項５記載の発明によれば、装置を操作しているユーザ以外の、表示されている内容を見ているだけの人には異常が発生したことのみをマークを用いて報知することで、異常の発生が気付かれ難く、且つ装置を操作しているユーザには他の表示位置で具体的な異常の内容を、装置が具備する表示部に文字表示することで、内容を誤認することなく、発生した異常に余裕をもって対処することが可能となる。
【００２０】
請求項６記載の発明によれば、装置をリモートコントローラを用いて操作しているユーザ以外の、表示されている内容を見ているだけの人には異常が発生したことのみをマークを用いて報知することで、異常の発生が気付かれ難く、且つリモートコントローラでは具体的な異常の内容を文字表示することで、内容を誤認することなく、発生した異常に余裕をもって対処することが可能となる。
【００２１】
請求項７記載の発明によれば、装置をリモートコントローラを用いて操作しているユーザ以外の、表示されている内容を見ているだけの人には異常が発生したことのみをマークを用いて報知することで、異常の発生が気付かれ難く、且つリモートコントローラでは具体的な異常の内容を文字表示することで、内容を誤認することなく、発生した異常に余裕をもって対処することが可能となる。
【発明を実施するための最良の形態】
【００２２】
以下本発明をプロジェクタ装置に適用した場合の実施の一形態について図面を参照して説明する。  
（構成）  
図１は、同実施の形態に係るプロジェクタ装置１０の外観構成を示すものである。同図（Ａ）に示すように、直方体状の本体ケーシング１１の前面に、投影レンズ１２、及びＩｒ送受信部１３が配設される。
【００２３】
投影レンズ１２は、後述するマイクロミラー素子等の空間的光変調素子で形成された光像を投影するためのものであり、ここでは合焦位置及びズーム位置（投影画角）を任意に可変できるものとする。
【００２４】
Ｉｒ送受信部１３は、このプロジェクタ装置１０の後述するリモートコントローラからのキー操作信号が重畳された赤外光を受信する一方で、該リモートコントローラに対して表示信号が重畳された赤外光を送信する。
【００２５】
また、本体ケーシング１１の上面には、本体操作表示部１４、スピーカ１５、及びカバー１６が配設される。
【００２６】
本体操作表示部１４は、バックライト付きの液晶表示パネル上に透明タッチパネルを一体化して構成されるもので、各動作状況で必要な操作ボタンを表示して対応する位置がタッチ操作されるとその機能を実行する一方で、動作異常が発生した場合にはその異常内容等を表示する。
【００２７】
スピーカ１５は、動画やプレゼンテーションソフトウェアの再生に音声を拡声出力する。  
カバー１６は、ここでは図示しない本体サブキーを操作する際に開閉する。該本体サブキーは、このプロジェクタ装置１０の後述するリモートコントローラを使用せず、且つ上記本体操作表示部１４に表示されるボタンの操作では設定できない詳細な各種動作等を操作する。
【００２８】
さらに、図１（Ｂ）に示すように本体ケーシング１１の背面には、入出力コネクタ部１７、Ｉｒ送受信部１８、及びＡＣアダプタ接続部１９が配設される。  
入出力コネクタ部１７は、例えばパーソナルコンピュータ等の外部機器との映像入出力の接続のためのＵＳＢ端子、映像入力用のミニＤ−ＳＵＢ端子、Ｓ端子、及びＲＣＡ端子と、音声入力用のステレオミニ端子等からなる。
【００２９】
Ｉｒ送受信部１８は、上記Ｉｒ送受信部１３と同様に、後述するリモートコントローラからのキー操作信号が重畳された赤外光を受信する一方で、該リモートコントローラに対して表示信号が重畳された赤外光を送信する。
【００３０】
ＡＣアダプタ接続部１９は、電源となる図示しないＡＣアダプタからのケーブルを接続する。  
加えて、本体ケーシング１１の下面には、背面側に一対の固定脚部２０，２０が取り付けられると共に、前面側に高さ調節が可能な調整脚部２１が取り付けられる。  
調整脚部２１は、そのねじ回転位置を手動で操作することにより、正確には上記投影レンズ１２の投影方向の鉛直方向成分、すなわち仰角を調整する。
【００３１】
次に図２でプロジェクタ装置１０に付属される専用のリモートコントローラ３０の外観構成を例示する。同図は、リモートコントローラ３０の上面の配置構成を示すものであり、バックライト付きの液晶表示パネルでなる表示部３１と、電源（ｐｏｗｅｒ）キー、ズーム（Ｚｏｏｍ）キー、フォーカス（Ｆｏｃｕｓ）キー、「ＡＦＫ（自動合焦及び自動台形補正）」キー、「Ｉｎｐｕｔ（入力切換）」キー、「Ａｕｔｏ」キー、「ｍｅｎｕ」キー、「Ｋｅｙｓｔｏｎｅ」キー、「ＨＥＬＰ」キー、「Ｅｓｃ」キー、「アップ（↑）」キー、「ダウン（↓）」キー、「レフト（←）」キー、「ライト（→）」キー、及び「Ｅｎｔｅｒ」キーからなるキー入力部３２、及び電源／待機（ｐｏｗｅｒ／ｓｔａｎｄｂｙ）インジケータ、及び温度（ＴＥＭＰ）インジケータからなるインジケータ部３３を備える。
【００３２】
続いて図３により上記プロジェクタ装置１０の電子回路の機能構成について説明する。図中、上記入出力コネクタ部１７より入力された各種規格の画像信号が、入出力インタフェース（Ｉ／Ｆ）４１、システムバスＳＢを介して画像変換部４２で所定のフォーマットの画像信号に統一された後に、投影エンコーダ４３へ送られる。
【００３３】
投影エンコーダ４３は、送られてきた画像信号をビデオＲＡＭ４４に展開記憶させた上でこのビデオＲＡＭ４４の記憶内容からビデオ信号を発生して投影駆動部４５に出力する。
【００３４】
この投影駆動部４５は、送られてきた画像信号に対応して適宜フレームレート、例えば３０［フレーム／秒］で空間的光変調素子（ＳＯＭ）４６を表示駆動するもので、この空間的光変調素子４６に対して、例えばリフレクタ４８内に配置された超高圧水銀灯等の光源ランプ４７が出射する高輝度の白色光を照射することで、その反射光で光像が形成され、上記投影レンズ１２を介して図示しないスクリーンに投影表示される。
【００３５】
しかるに、上記投影レンズ１２はレンズモータ４９に駆動されることでズーム位置及びフォーカス位置を適宜移動する。  
上記各回路のすべての動作制御を制御部５０が司る。この制御部５０は、ＣＰＵと、後述する異常発生時の報知及び表示の処理を含む該ＣＰＵで実行される動作プログラムを固定的に記憶したＲＯＭ、及びワークメモリとして使用されるＲＡＭ等により構成される。
【００３６】
この制御部５０にはまた、システムバスＳＢを介して表示駆動部５１、上記Ｉｒ送受信部１３，１８、及び音声処理部５２が接続される。  
表示駆動部５１は、上記本体操作表示部１４を構成する液晶表示パネルでなる表示部５３に各種ボタンやガイドメッセージ等を表示させる。この表示部５３上に一体にしてタッチ入力部５４が設けられ、表示部５３で表示されたボタンに対応したタッチ操作がなされた場合にその操作位置に応じた操作信号を、上記カバー１６内に設けられた本体サブキー５５の操作信号と同様に上記制御部５０に直接入力する。
【００３７】
音声処理部５２は、ＰＣＭ音源等の音源回路を備え、投影動作時に与えられる音声データをアナログ化し、上記スピーカ１５を駆動して拡声放音させる。  
さらに、制御部５０は、上記リフレクタ４８内に封入されている光源ランプ４７を冷却するための冷却ファン５６を回転駆動させるべくモータ（Ｍ）５７に回転信号を送出する一方で、該冷却ファン５６の回転状態を回転センサ５８により、光源ランプ４７の温度を温度センサ５９により、リフレクタ４８の温度を温度センサ６０により、そして冷却ファン５６により冷却される光源ランプ４７及びリフレクタ４８の冷却空気流路の出口部の温度を温度センサ６１によりそれぞれ検知して常時モニタリングしている。
【００３８】
次に図４により上記リモートコントローラ３０内の回路構成について示す。同図に示すようにリモートコントローラ３０は、制御部７１を中心として表示部３１、バイブレータ７２、Ｉｒ送受信部７３、上記キー入力部３２、及びインジケータ部３３より構成される。
【００３９】
制御部７１は、キー入力部３２で操作されたキーに対応したキー操作信号を作成し、Ｉｒ送受信部７３により赤外線信号に変調させて送信させると共に、上記プロジェクタ装置１０から送られてきた赤外線信号がＩｒ送受信部７３で受信された場合にはそれを復調し、必要により表示部３１にガイドメッセージをキャラクタデータにより表示させ、またインジケータ部３３の適切なインジケータを点灯あるいは点滅駆動し、そしてバイブレータ７２を予め設定された振動パターンで振動駆動する。
【００４０】
（第１の動作例）  
次に上記実施の形態の第１の動作について例示する。  
図５は、プロジェクタ装置１０に電源を投入した後の主として光源ランプ４７の温度異常に関する制御部５０の処理内容を示すものである。
【００４１】
その当初、電源投入に応じて光源ランプ４７の点灯を開始させた後に（ステップＳ０１）、上記温度センサ５９，６０により光源ランプ４７とリフレクタ４８の温度を検知させ（ステップＳ０２）、それぞれの検知結果から、予め設定されている許容温度範囲の上限より１０［℃］以上低いか否かを判断する（ステップＳ０３）。
【００４２】
ここで、予め設定されている許容温度範囲の上限より１０［℃］以上低いと判断した場合には再び上記ステップＳ０２の処理に戻って以後同様の処理を繰返すことで、光源ランプ４７とリフレクタ４８の温度が、許容温度範囲の上限から１０［℃］減算した温度以上となるのを監視する。
【００４３】
しかして、温度センサ５９，６０により光源ランプ４７またはリフレクタ４８の温度が許容温度範囲の上限から１０［℃］減算した温度以上となったと検知した場合、ステップＳ０３でこれを判断し、まず画像の一部に警告マークを付与して投影させる（ステップＳ０４）。
【００４４】
図６は、このとき投影される画像を例示するものであり、スクリーンＳＣＲ上の投影範囲ＡＲの端部、例えば右上に警告マークＷＲを表示させるものとする。この場合、警告マークＷＲは、例えば赤色の円記号を画像中で点滅させることで、なんらかの異常が発生したことをこのプロジェクタ装置１０のユーザに知らせるものであるが、ユーザ以外でこのプロジェクタ装置１０による投影画像を見ている他の人たちに異常が発生したことが直接わからないように、あえて文字等による投影は避けるものとする。
【００４５】
これと同時に、次に回転センサ５８により冷却ファン５６が正しく回転しているか否かを判断し（ステップＳ０５）、回転していると判断すると次に温度センサ６１の検知により冷却空気流路出口の温度が異常であるか否か、具体的には上記温度センサ５９，６０で検知した温度に対応してそれなりの温度上昇があるか否かを判断する（ステップＳ０６）。
【００４６】
ここで温度センサ５９，６０での検知温度に比して温度センサ６１でも一定の範囲内の温度上昇が見られる場合には、少なくとも冷却空気流路での「つまり」等は発生していないものとして、光源ランプ４７の温度異常のみを本体操作表示部１４を構成する表示部５３にてキャラクタデータ、具体的には例えば文字列によるガイドメッセージ「温度異常（ランプ）」のように表示させる（ステップＳ０７）。
【００４７】
また、上記ステップＳ０６で温度センサ５９，６０での検知温度に比して温度センサ６１ではそれほどの温度上昇が見られず、温度が異常であると判断した場合には、冷却空気流路で埃等の「つまり」が発生しているものとして、光源ランプ４７の温度異常と冷却空気流路の異常を本体操作表示部１４を構成する表示部５３にてキャラクタデータ、具体的には例えば文字列によるガイドメッセージ「温度異常（ランプ，空気流路）」のように表示させる（ステップＳ０８）。
【００４８】
さらに、上記ステップＳ０５で回転センサ５８により冷却ファン５６が正しく回転していないと判断した場合には、光源ランプ４７の温度異常と冷却ファン５６の異常とを本体操作表示部１４を構成する表示部５３にてキャラクタデータにて表示させる（ステップＳ０９）。
【００４９】
図７は、このとき本体操作表示部１４の表示部５３で表示されるキャラクタデータを例示するものであり、具体的には文字列によるガイドメッセージ、例えば
「温度異常  
（ランプ，冷却ファン）」  
を図示する如く表示させる。
【００５０】
しかるに、上記ステップＳ０７〜Ｓ０９のいずれかによる異常表示を行なった状態で、再び上記温度センサ５９，６０により光源ランプ４７とリフレクタ４８の温度を検知させ（ステップＳ１０）、それぞれの検知結果から、予め設定されている許容温度範囲の上限以下であるか否かを判断する（ステップＳ１１）。
【００５１】
ここで、予め設定されている許容温度範囲の上限以下であると判断した場合には、再び上記ステップＳ０３以下の処理に戻り、必要に応じて警告マークＷＲを投影画像中に入れると共に、詳細な異常の内容をキャラクタデータにより本体操作表示部１４で表示させる、という処理を繰返す。
【００５２】
このステップＳ０３以下の処理を繰返し実行する過程で、このプロジェクタ装置１０のユーザが本体操作表示部１４での表示に基づいてなんらかの対処を施した場合、例えば冷却空気流路が埃等により「つまり」を生じていた場合にはつまりの原因となった埃等を取り除いた場合、あるいは冷却ファン５６が正常に回転していなかった場合には冷却ファン５６の回転軸に絡みつく毛髪等を取り除いた場合、あるいは冷却ファン５６が正常に回転しているにも拘わらずプレゼンテーション資料等により冷却空気流路の入り口部が塞がれており、これに気付いてあらたに新鮮な空気が流入するようにした場合などには、温度センサ５９，６０で検知する光源ランプ４７、リフレクタ４８の温度が許容温度範囲の上限より１０［℃］以上低いものとなるので、ステップＳ０３でこれを判断して、再び上記ステップＳ０２，Ｓ０３の処理を繰返す状態となる。
【００５３】
また、上記ステップＳ０３以下の処理を繰返し実行する過程で、このプロジェクタ装置１０のユーザが本体操作表示部１４での表示に基づいてなんらかの対処を施さないままに発生している異常な状態がさらに進行した場合、具体的には温度センサ５９，６０で検知する光源ランプ４７、リフレクタ４８の温度が許容範囲の上限を超えてしまった場合には、ステップＳ１１でこれを判断し、一定時間だけ光源ランプ４７を消灯させる旨の警告マークをスクリーンＳＣＲ上に投影させた後に（ステップＳ１２）、光源ランプ４７を消灯させ（ステップＳ１３）、一旦電源をオフする。
【００５４】
この電源オフ後も、冷却ファン５６の回転による光源ランプ４７、リフレクタ４８の冷却を一定時間、あるいは温度センサ５９，６０により光源ランプ４７、リフレクタ４８の温度が許容範囲の上限から１０［℃］以上低くなるまで続行し、次に電源投入が行なえるようになるまでの時間を極力短縮する。
【００５５】
このように、温度異常等の異常の発生を段階的に検知し、まだ対処可能な段階で、プロジェクタ装置１０を操作しているユーザ以外の、スクリーンＳＣＲで投影されている画像を見ているだけの人には異常が発生したことのみを記号やシンボルを用いて報知することで、異常の発生が気付かれ難く、且つプロジェクタ装置１０を直接操作しているユーザにはプロジェクタ装置１０の本体ケーシング１１上に設けられた本体操作表示部１４で具体的な異常の内容を表示することで、発生した異常に余裕をもって対処することが可能となる。
【００５６】
加えて、本体操作表示部１４では発生した異常の内容を具体的にキャラクタデータ、すなわち文字列によるガイドメッセージの形で表示することで、発生した異常の内容を誤認することなく、より適切な対処を施すことができるようになる。
【００５７】
（第２の動作例）  
次に上記実施の形態の第２の動作について例示する。  
図８は、プロジェクタ装置１０に電源を投入した後の主として光源ランプ４７の温度異常に関する制御部５０の処理内容を示すものである。
【００５８】
その当初、電源投入に応じて光源ランプ４７の点灯を開始させた後に（ステップＳ０１）、上記温度センサ５９，６０により光源ランプ４７とリフレクタ４８の温度を検知させ（ステップＳ０２）、それぞれの検知結果から、予め設定されている許容温度範囲の上限より１０［℃］以上低いか否かを判断する（ステップＳ０３）。
【００５９】
ここで、予め設定されている許容温度範囲の上限より１０［℃］以上低いと判断した場合には再び上記ステップＳ０２の処理に戻って以後同様の処理を繰返すことで、光源ランプ４７とリフレクタ４８の温度が、許容温度範囲の上限から１０［℃］減算した温度以上となるのを監視する。
【００６０】
しかして、温度センサ５９，６０により光源ランプ４７またはリフレクタ４８の温度が許容温度範囲の上限から１０［℃］減算した温度以上となったと検知した場合、ステップＳ０３でこれを判断し、まず画像の一部に警告マークを付与して上記図６で示した如く投影させる（ステップＳ０４）。
【００６１】
これと同時に、次に回転センサ５８により冷却ファン５６が正しく回転しているか否かを判断し（ステップＳ０５）、回転していると判断すると次に温度センサ６１の検知により冷却空気流路出口の温度が異常であるか否か、具体的には上記温度センサ５９，６０で検知した温度に対応してそれなりの温度上昇があるか否かを判断する（ステップＳ０６）。
【００６２】
ここで温度センサ５９，６０での検知温度に比して温度センサ６１でも一定の範囲内の温度上昇が見られる場合には、少なくとも冷却空気流路での「つまり」等は発生していないものとして、光源ランプ４７の温度異常のみを示す情報を重畳した信号をＩｒ送受信部１３，１８により赤外線信号としてリモートコントローラ３０に対して送信させる（ステップＳ２１）。
【００６３】
また、上記ステップＳ０６で温度センサ５９，６０での検知温度に比して温度センサ６１ではそれほどの温度上昇が見られず、温度が異常であると判断した場合には、冷却空気流路で埃等の「つまり」が発生しているものとして、光源ランプ４７の温度異常と冷却空気流路の異常を示す情報を重畳した信号をＩｒ送受信部１３，１８により赤外線信号としてリモートコントローラ３０に対して送信させる（ステップＳ２２）。
【００６４】
さらに、上記ステップＳ０５で回転センサ５８により冷却ファン５６が正しく回転していないと判断した場合には、光源ランプ４７の温度異常と冷却ファン５６の異常とを示す情報を重畳した信号をＩｒ送受信部１３，１８により赤外線信号としてリモートコントローラ３０に対して送信させる（ステップＳ２３）。
【００６５】
一方のリモートコントローラ３０側では、図９に示すように制御部７１がプロジェクタ装置１０から送られてくる異常信号の受信を待機している。
【００６６】
すなわち図９では、その当初よりプロジェクタ装置１０のＩｒ送受信部１３，１８から異常信号の受信があるのを待機しており（ステップＲ０１）、受信があったと判断した時点で、バイブレータ７２での振動による異常報知を開始させると共に（ステップＲ０２）、インジケータ部３３の「ＴＥＭＰ」インジケータを点滅駆動（ステップＲ０３）、それからその異常信号が光源ランプ４７と冷却ファン５６の異常によるものか否かを判断し（ステップＲ０４）、そうでなければ次に光源ランプ４７と冷却空気流路の異常によるものか否かを判断する（ステップＲ０５）。
【００６７】
上記ステップＲ０４で異常信号が光源ランプ４７と冷却ファン５６の異常によるものであると判断した場合には、図１０（Ａ）に示すように表示部３１にてキャラクタデータ、具体的には例えば文字列によるガイドメッセージ「温度異常（ランプ，冷却ファン）」のように表示させる（ステップＲ０６）。
【００６８】
また、上記ステップＲ０５で異常信号が光源ランプ４７と冷却空気流路の異常によるものであると判断した場合には、図１０（Ｂ）に示すように表示部３１にてキャラクタデータ、具体的には例えば文字列によるガイドメッセージ「温度異常（ランプ，冷却流路）」のように表示させる（ステップＲ０７）。
【００６９】
さらに、上記ステップＲ０５で異常信号が光源ランプ４７と冷却空気流路の異常によるものでもないと判断した場合には、図１０（Ｃ）に示すように表示部３１にてキャラクタデータ、具体的には例えば文字列によるガイドメッセージ「温度異常（ランプ）」のように表示させる（ステップＲ０８）。
【００７０】
このようにバイブレータ７２による振動報知とインジケータ部３３の「ＴＥＭＰ」インジケータの点滅表示に併せてステップＲ０６〜Ｒ０８のいずれかによる温度異常とその詳細な発生箇所の表示を一定時間、例えば５秒間保持した後（ステップＲ０９）、異常信号がまだプロジェクタ装置１０から送られてきているか否かを確認するために再び上記ステップＲ０１からの処理に戻り、送られてきていれば同様の処理を繰返す。
【００７１】
プロジェクタ装置１０の側においては、上記ステップＳ２１〜Ｓ２３のいずれかによる異常信号のリモートコントローラ３０への送信を行なった後、再び上記温度センサ５９，６０により光源ランプ４７とリフレクタ４８の温度を検知させ（ステップＳ１０）、それぞれの検知結果から、予め設定されている許容温度範囲の上限以下であるか否かを判断する（ステップＳ１１）。
【００７２】
ここで、予め設定されている許容温度範囲の上限以下であると判断した場合には、再び上記ステップＳ０３以下の処理に戻り、必要に応じて警告マークＷＲを投影画像中に入れると共に、詳細な異常の内容を報せるべく対応する異常信号をリモートコントローラ３０へ送信する、という処理を繰返す。
【００７３】
このステップＳ０３以下の処理を繰返し実行する過程で、リモートコントローラ３０を操作しているこのプロジェクタ装置１０のユーザがリモートコントローラ３０の表示部３１での表示に基づいてなんらかの対処を施した場合、例えば冷却空気流路が埃等により「つまり」を生じていた場合にはつまりの原因となった埃等を取り除いた場合、あるいは冷却ファン５６が正常に回転していなかった場合には冷却ファン５６の回転軸に絡みつく毛髪等を取り除いた場合、あるいは冷却ファン５６が正常に回転しているにも拘わらずプレゼンテーション資料等により冷却空気流路の入り口部が塞がれており、これに気付いてあらたに新鮮な空気が流入するようにした場合などには、温度センサ５９，６０で検知する光源ランプ４７、リフレクタ４８の温度が許容温度範囲の上限より１０［℃］以上低いものとなるので、ステップＳ０３でこれを判断して、再び上記ステップＳ０２，Ｓ０３の処理を繰返す状態となる。
【００７４】
また、上記ステップＳ０３以下の処理を繰返し実行する過程で、このプロジェクタ装置１０のユーザがリモートコントローラ３０の表示部３１での表示に基づいてなんらかの対処を施さないままに発生している異常な状態がさらに進行した場合、具体的には温度センサ５９，６０で検知する光源ランプ４７、リフレクタ４８の温度が許容範囲の上限を超えてしまった場合には、ステップＳ１１でこれを判断し、一定時間だけ光源ランプ４７を消灯させる旨の警告マークをスクリーンＳＣＲ上に投影させた後に（ステップＳ１２）、光源ランプ４７を消灯させ（ステップＳ１３）、一旦電源をオフする。
【００７５】
この電源オフ後も、冷却ファン５６の回転による光源ランプ４７、リフレクタ４８の冷却を一定時間、あるいは温度センサ５９，６０により光源ランプ４７、リフレクタ４８の温度が許容範囲の上限から１０［℃］以上低くなるまで続行し、次に電源投入が行なえるようになるまでの時間を極力短縮する。
【００７６】
このように、プロジェクタ装置１０をリモートコントローラ３０を用いて操作しているユーザ以外の、投影されている内容を見ているだけの人には、異常が発生したことのみを記号やシンボルを用いて報知することで、異常の発生が気付かれ難く、且つリモートコントローラ３０の表示部３１では具体的な異常の内容を表示することで、該ユーザが発生した異常に余裕をもって対処することが可能となる。
【００７７】
加えて、リモートコントローラ３０においては、表示部３１での異常な余の表示のみならず、それに先立ってバイブレータ７２での振動やインジケータ部３３の「ＴＥＭＰ」インジケータの点滅表示を伴ってリモートコントローラ３０側で異常の発生を表示するようにしたので、このリモートコントローラ３０を操作しているユーザにより確実に発生した異常の内容を認識させ、対処させることができる。
【００７８】
なお、リモートコントローラ３０の表示部３１での表示内容に合わせて、バイブレータ７２の振動パターンやインジケータ部３３の「ＴＥＭＰ」インジケータの点滅パターンを変化させ、より簡単に発生した異常の内容をユーザに認識させるようにしてもよい。
【００７９】
なお、上記実施の形態は、本発明をマイクロミラー素子のような反射型表示素子を空間的光変調素子４６として使用したリモートコントローラ３０付きのプロジェクタ装置１０に適用した場合について説明したものであるが、本発明はこれに限るものではなく、例えば透過型あるいは反射型の液晶表示パネルを用いたプロジェクタ装置、またはプロジェクタ装置以外の画像表示装置にも同様に適用し得る。
【００８０】
その他、本発明は上記実施の形態に限らず、その要旨を逸脱しない範囲内で種々変形して実施することが可能であるものとする。
【００８１】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００８２】
【図１】本発明の実施の一形態に係るプロジェクタ装置本体の外観構成を示す斜視図。
【図２】同実施の形態に係るプロジェクタ装置に付属したリモートコントローラの上面構成を示す図。
【図３】同実施の形態に係るプロジェクタ装置本体の回路構成を示すブロック図。
【図４】同実施の形態に係るリモートコントローラの回路構成を示すブロック図。
【図５】同実施の形態に係る第１の動作例での装置本体の処理内容を示すフローチャート。
【図６】同実施の形態に係る第１の動作例での投影表示内容を例示する図。
【図７】同実施の形態に係る第１の動作例での装置本体の表示部の表示内容を例示する図。
【図８】同実施の形態に係る第２の動作例での装置本体の処理内容を示すフローチャート。
【図９】同実施の形態に係る第２の動作例でのリモートコントローラの処理内容を示すフローチャート。
【図１０】同実施の形態に係る第２の動作例でのリモートコントローラの表示部の表示内容を例示する図。
【符号の説明】
【００８３】
１０…プロジェクタ装置、１１…本体ケーシング、１２…投影レンズ、１３…Ｉｒ送受信部、１４…本体操作表示部、１５…スピーカ、１６…カバー、１７…入出力コネクタ部、１８…Ｉｒ送受信部、１９…ＡＣアダプタ接続部、２０…固定脚部、２１…調整脚部、３０…リモートコントローラ、３１…表示部、３２…キー入力部、３３…インジケータ部、４１…入出力インタフェース（Ｉ／Ｆ）、４２…画像変換部、４３…投影エンコーダ、４４…ビデオＲＡＭ、４５…投影駆動部、４６…空間的光変調素子（ＳＯＭ）、４７…光源ランプ、４８…リフレクタ、４９…レンズモータ（Ｍ）、５０…制御部、５１…表示駆動部、５２…音声処理部、５３…表示部、５４…タッチ入力部、５５…本体サブキー、５６…冷却ファン、５７…モータ（Ｍ）、５８…回転センサ、５９…温度センサ、６０…温度センサ、６１…温度センサ、７１…制御部、７２…バイブレータ、７３…Ｉｒ送受信部、ＡＲ…投影範囲、ＳＢ…システムバス、ＳＣＲ…スクリーン。
【図１】
0004839571.tif 000002
【図２】
0004839571.tif 000003
【図３】
0004839571.tif 000004
【図４】
0004839571.tif 000005
【図５】
0004839571.tif 000006
【図６】
0004839571.tif 000007
【図７】
0004839571.tif 000008
【図８】
0004839571.tif 000009
【図９】
0004839571.tif 000010
【図１０】
0004839571.tif 000011